(57)【要約】基地局とＵＥとの間で短物理アップリンク制御チャネル通信のために、新たなシーケンスが提案されおよび／または採用された。例示的実施形態では、ＵＥは新たなシーケンスを含むシーケンスグループに基づいて基地局と通信する。新たなシーケンスは、個別のシーケンスグループに含まれる既存の別のシーケンスとの相関に少なくとも部分的に基づいて、異なるシーケンスグループに割り当てられる。【選択図】図２
2021502764.tif 000002
【特許請求の範囲】
【請求項１】
無線通信方法であって、
前記方法は、複数のシーケンスグループから選択される、区別されたシーケンスグループに含まれる区別された長さＸのシーケンスに、少なくとも部分的に基づいて、無線通信ノードと通信することを備え、
前記区別された長さＸのシーケンスは、長さＸのシーケンスからなるターゲットシーケンスセットのメンバーであり、
前記ターゲットシーケンスセットの長さＸの各シーケンスは、前記長さＸのシーケンスと、前記複数のシーケンスグループのうち１個のシーケンスグループの、少なくとも１つの長さＹのシーケンスとの第１の相関値に、少なくとも部分的に基づいて、前記１個のシーケンスグループに割り当てられる、
方法。
【請求項２】
前記区別されたシーケンスグループは、少なくとも１つのセル、ユーザまたは通信チャネルの識別に、少なくとも部分的に基づいて選択される、請求項１に記載の方法。
【請求項３】
Ｘ＝２４，１８または１２である、請求項１に記載の方法。
【請求項４】
前記ターゲットシーケンスセットの、区別された長さＸのシーケンスは、それぞれ、
【数１】
2021502764.tif 000029
の数式に対応する、請求項３に記載の方法。
【請求項５】
Ｘ＝２４であり、Ｙ＝３６，４８，６０または７２である、請求項３に記載の方法。
【請求項６】
Ｘ＝１８であり、Ｙ＝２４，３６，４８，６０または７２である、請求項３に記載の方法。
【請求項７】
Ｘ＝１２であり、Ｙ＝１８，２４，３６，４８，６０または７２である、請求項３に記載の方法。
【請求項８】
前記無線通信ノードと通信することは、前記無線通信ノードに無線信号を送信するために、または、前記無線通信ノードから無線信号を受信するために、前記区別された長さＸのシーケンスを用いることを含む、請求項１に記載の方法。
【請求項９】
前記無線通信ノードは、ユーザ機器（ＵＥ）または基地局である、請求項１に記載の方法。
【請求項１０】
前記ターゲットシーケンスセットの前記長さＸのシーケンスと、前記少なくとも１つの長さＹのシーケンスとの間の第１の相関値は、
xcorr_coeffs = NFFT * IFFT(Seq1 .* conj(Seq2), NFFT) / length(Seq1)
に基づいて計算され、
ただしＩＦＦＴ（Ｘ，Ｎ）はＮ点逆フーリエ変換演算であり、Ｓｅｑ１は前記ターゲットシーケンスセットの前記長さＸのシーケンスを表し、Ｓｅｑ２は前記長さＹのシーケンスを表し、ｃｏｎｊ（）は複素共役演算である、
請求項１に記載の方法。
【請求項１１】
前記ターゲットシーケンスセットの長さＸの各シーケンスは、前記複数のシーケンスグループのうち１個のシーケンスグループに割り当てられ、これはさらに、
（１）前記長さＸのシーケンスと、前記１個のシーケンスグループの前記少なくとも１つの長さＹのシーケンスとの間の前記第１の相関値と、
（２）前記長さＸのシーケンスと、別のシーケンスグループの１つ以上のシーケンスとの、少なくとも１つの相関値と、
の比較に基づく、請求項１に記載の方法。
【請求項１２】
Ｙ＝１２Ｎであり、Ｎは２より大きい整数である、請求項１に記載の方法。
【請求項１３】
長さＹのシーケンスは、
【数２】
2021502764.tif 000030
の数式に対応するシーケンスであり、
ｑ番目のルートＺａｄｏｆｆ−Ｃｈｕシーケンスは、
【数３】
2021502764.tif 000031
によって定義され、
ｑは、
【数４】
2021502764.tif 000032
によって与えられ、
前記Ｚａｄｏｆｆ−Ｃｈｕシーケンスの長さＮＺＣＲＳは、ＭＳＣＲＢ＝Ｙである場合に、ＮＺＣＲＳ＜ＭｓｃＲＳとなる最大の素数によって与えられ、Ｙ≧の場合にｖ＝０，１である、
請求項１２に記載の方法。
【請求項１４】
Ｙ＝３６であり、前記ターゲットシーケンスのサブセットの、長さＸの各シーケンスについて、
前記長さＸのシーケンスが、さらに、前記長さＸのシーケンスと、前記複数のシーケンスグループのうち１個のシーケンスグループの、少なくとも１つの長さＺのシーケンスとの間の第２の相関値に基づき、前記１個のシーケンスグループに割り当てられ、
前記長さＸのシーケンスと、前記１個のシーケンスグループの前記少なくとも１つの長さＹのシーケンスとの間の前記第１の相関値は、前記第２の相関値より高い優先度を持つ、
請求項１２に記載の方法。
【請求項１５】
前記ターゲットシーケンスセットの前記サブセットの、さらなるサブセットの、長さＸの各シーケンスについて、
前記長さＸのシーケンスが、さらに、前記長さＸのシーケンスと、前記複数のシーケンスグループのうち１個のシーケンスグループの、少なくとも１つの長さＰのシーケンスとの間の第３の相関値に基づき、前記１個のシーケンスグループに割り当てられ、ＰはＺより大きく、
前記長さＸのシーケンスと、前記１個のシーケンスグループの前記少なくとも１つの長さＺのシーケンスとの間の前記第２の相関値は、前記第３の相関値より高い優先度を持つ、
請求項１４に記載の方法。
【請求項１６】
Ｘ＝２４であり、
前記ターゲットシーケンスセットの、区別された長さＸの各シーケンスは、
【数５】
2021502764.tif 000033
の数式に対応し、
前記複数のシーケンスグループの各シーケンスグループは、区別されたグループインデックスｕに関連付けられ、
区別された長さＸの各シーケンスは、下記の表
【表１】
2021502764.tif 000034
に示す、φ（ｎ）の値と前記グループインデックスとの間の関係に従って、１個のシーケンスグループに割り当てられる、
請求項１に記載の方法。
【請求項１７】
Ｘ＝１８であり、
前記ターゲットシーケンスセットの、区別された長さＸの各シーケンスは、
【数６】
2021502764.tif 000035
の数式に対応し、
前記複数のシーケンスグループの各シーケンスグループは、区別されたグループインデックスｕに関連付けられ、
区別された長さＸの各シーケンスは、下記の表
【表２】
2021502764.tif 000036
に示す、φ（ｎ）の値と前記グループインデックスとの間の関係に従って、１個のシーケンスグループに割り当てられる、
請求項１に記載の方法。
【請求項１８】
Ｘ＝１２であり、
前記ターゲットシーケンスセットの、区別された長さＸの各シーケンスは、
【数７】
2021502764.tif 000037
の数式に対応し、
前記複数のシーケンスグループの各シーケンスグループは、区別されたグループインデックスｕに関連付けられ、
区別された長さＸの各シーケンスは、下記の表
【表３】
2021502764.tif 000038
に示す、φ（ｎ）の値と前記グループインデックスとの間の関係に従って、１個のシーケンスグループに割り当てられる、
請求項１に記載の方法。
【請求項１９】
メモリおよびプロセッサを備える無線通信装置であって、前記プロセッサは前記メモリからコードを読み取って請求項１〜１８のいずれか一項に記載の方法を実施する、無線通信装置。
【請求項２０】
コードが記憶されたコンピュータ可読プログラム記憶媒体であって、前記コードは、プロセッサによって実行されると、前記プロセッサに請求項１〜１８のいずれか一項に記載の方法を実施させる、コンピュータ可読プログラム記憶媒体。
【発明の詳細な説明】
【技術分野】
【０００１】
本開示は、概してデジタル無線通信に関する。
【０００２】
［関連出願の相互参照］
本特許文献は、国際特許出願第ＰＣＴ／ＣＮ２０１７／１１０５２５号（２０１７年１１月１０日出願）の優先権の利益を主張する。上述の特許文献の全内容が、参照により本文献に組み込まれる。
【０００３】
［背景］
移動体通信技術により、世界はますます接続されネットワーク化された社会に向かっている。既存の無線ネットワークと比較すると、次世代のシステムおよび無線通信技術は、はるかに広範なユースケース特性をサポートする必要があり、より複雑かつ知的な範囲のアクセス要件および柔軟性を提供する必要がある。
【０００４】
ロングタームエボリューション（ＬＴＥ）は、第３世代パートナーシッププロジェクト（３ＧＰＰ）によって開発された移動体デバイスおよびデータ端末のための無線通信の標準規格である。ＬＴＥアドバンスド（ＬＴＥ−Ａ）は、ＬＴＥ標準規格を拡張する無線通信標準規格である。無線システムの第５世代（５Ｇとして知られる）は、ＬＴＥおよびＬＴＥ−Ａ無線標準規格を進歩させるものであり、より高いデータレート、多数の接続、超低遅延、高信頼性および他の増加するビジネスニーズをサポートすることを約束する。
【０００５】
［サマリー］
本開示は、無線通信において短シーケンスをグループ化して使用するための方法、システムおよびデバイスに関する（物理アップリンク制御チャネル（ＰＵＣＣＨ）および／または短ＰＵＣＣＨ送信、等）。
【０００６】
例示的実施形態の１つは、無線通信のための方法を開示する。前記方法は、複数のシーケンスグループから選択される、区別されたシーケンスグループに含まれる区別された長さＸのシーケンスに、少なくとも部分的に基づいて、無線通信ノードと通信することを備え、
前記区別された長さＸのシーケンスは、複数の長さＸのシーケンスからなるターゲットシーケンスセットのメンバーであり、
前記ターゲットシーケンスセットの長さＸの各シーケンスは、前記長さＸのシーケンスと、前記複数のシーケンスグループのうち１個のシーケンスグループの、少なくとも１つの長さＹのシーケンスとの第１の相関値に、少なくとも部分的に基づいて、前記１個のシーケンスグループに割り当てられる。一部の実施形態では、前記区別されたシーケンスグループは、少なくとも１つのセル、ユーザまたは通信チャネルの識別に、少なくとも部分的に基づいて選択される。
【０００７】
一部の実施形態では、前記ターゲットシーケンスセットの長さＸの各シーケンスは、区別された長さ１２のシーケンスである。一部の実施形態では、前記区別された長さ１２のシーケンスは、それぞれ、
【数１】
2021502764.tif 000003
の数式に対応する。
【０００８】
一部の実施形態では、前記ターゲットシーケンスセットの長さＸの各シーケンスは、区別された長さ１８のシーケンスである。一部の実施形態では、前記区別された長さ１８のシーケンスは、それぞれ、
【数２】
2021502764.tif 000004
の数式に対応する。
【０００９】
一部の実施形態では、前記ターゲットシーケンスセットの長さＸの各シーケンスは、区別された長さ２４のシーケンスである。一部の実施形態では、前記区別された長さ２４のシーケンスは、それぞれ、
【数３】
2021502764.tif 000005
の数式に対応する。
【００１０】
一部の実施形態では、前記無線通信ノードと通信することは、前記無線通信ノードに無線信号を送信するために、または、前記無線通信ノードから無線信号を受信するために、前記区別された長さＸのシーケンスを用いることを含む。一部の実施形態では、前記無線通信ノードは、ユーザ機器（ＵＥ）または基地局である。
【００１１】
一部の実施形態では、前記長さＸのシーケンスと前記少なくとも１つの長さＹのシーケンスとの間の相関値は、
xcorr_coeffs = NFFT * IFFT(Seq1 .* conj(Seq2), NFFT) / length(Seq1)
に基づいて計算され、
ただしＩＦＦＴ（Ｘ，Ｎ）はＮ点逆フーリエ変換演算であり、Ｓｅｑ１は前記長さＸのシーケンスを表し、Ｓｅｑ２は前記長さＹのシーケンスを表し、ｃｏｎｊ（）は複素共役演算である。
【００１２】
一部の実施形態では、前記ターゲットシーケンスセットの長さＸの各シーケンスは、さらに、
（１）前記長さＸのシーケンスと、前記１個のシーケンスグループの前記少なくとも１つの長さＹのシーケンスとの間の前記第１の相関値と、
（２）前記長さＸのシーケンスと、別のシーケンスグループの１つ以上のシーケンスとの、少なくとも１つの相関値と、
の比較に基づいて、前記複数のシーケンスグループのうち１個のシーケンスグループに割り当てられる。
【００１３】
一部の実施形態では、Ｙ＞Ｘであり、Ｙ＝１２Ｎであり、Ｎは０より大きい整数である。
【００１４】
一部の実施形態では、Ｘ＝２４である場合には、長さＹのシーケンスは、
【数４】
2021502764.tif 000006
の数式に対応するシーケンスであり、
ｑ番目のルートＺａｄｏｆｆ−Ｃｈｕシーケンスは、
【数５】
2021502764.tif 000007
によって定義され、
ｑは、
【数６】
2021502764.tif 000008
によって与えられ、
前記Ｚａｄｏｆｆ−Ｃｈｕシーケンスの長さＮＺＣＲＳは、ＭＳＣＲＢ＝Ｙである場合に、ＮＺＣＲＳ＜ＭｓｃＲＳとなる最大の素数によって与えられ、Ｙ≧６０の場合にはｖ＝０または１である。
【００１５】
一部の実施形態では、Ｙ＝３６であり、前記ターゲットシーケンスのサブセットの、長さＸの各シーケンスについて、
前記長さＸのシーケンスが、さらに、前記長さＸのシーケンスと、前記複数のシーケンスグループのうち１個のシーケンスグループの、少なくとも１つの長さＺのシーケンスとの間の第２の相関値に基づき、前記１個のシーケンスグループに割り当てられ、
前記長さＸのシーケンスと、前記１個のシーケンスグループの前記少なくとも１つの長さＹのシーケンスとの間の前記第１の相関値は、前記第２の相関値より高い優先度を持つ。
【００１６】
一部の実施形態では、前記ターゲットシーケンスセットの前記サブセットの、さらなるサブセットの、長さＸの各シーケンスについて、
前記長さＸのシーケンスが、さらに、前記長さＸのシーケンスと、前記複数のシーケンスグループのうち１個のシーケンスグループの、少なくとも１つの長さＰのシーケンスとの間の第３の相関値に基づき、前記１個のシーケンスグループに割り当てられ、ＰはＺより大きく、
前記長さＸのシーケンスと、前記１個のシーケンスグループの前記少なくとも１つの長さＺのシーケンスとの間の前記第２の相関値は、前記第３の相関値より高い優先度を持つ。
【００１７】
一部の実施形態では、Ｘ＝２４であり、
前記ターゲットシーケンスセットの、区別された長さＸの各シーケンスは、
【数７】
2021502764.tif 000009
の数式に対応し、
前記複数のシーケンスグループの各シーケンスグループは、区別されたグループインデックスｕに関連付けられ、
区別された長さＸの各シーケンスは、下記の表
【表１】
2021502764.tif 000010
に示す、φ（ｎ）の値と前記グループインデックスとの間の関係に従って、１個のシーケンスグループに割り当てられる。
【００１８】
一部の実施形態では、前記複数のシーケンスグループのいずれかのシーケンスグループに含まれる長さ２４のシーケンスと、前記複数のシーケンスグループの別のいずれかのシーケンスグループに含まれる長さ３６のシーケンスとのシーケンス対のうち、１個のシーケンス対のみが、０．６を超える対応する相互相関値を有する。
【００１９】
一部の実施形態では、前記複数のシーケンスグループのいずれかのシーケンスグループに含まれる長さ２４のシーケンスと、前記複数のシーケンスグループの別のいずれかのシーケンスグループに含まれる長さ６０のシーケンスとのシーケンス対のうち、３個のシーケンス対のみが、０．６を超える対応する相互相関値を有する。
【００２０】
一部の実施形態では、前記複数のシーケンスグループのいずれかのシーケンスグループに含まれる長さ２４のシーケンスと、前記複数のシーケンスグループの別のいずれかのシーケンスグループに含まれる長さ７２のシーケンスとのシーケンス対のうち、３個のシーケンス対のみが、０．６を超える対応する相互相関値を有する。
【００２１】
一部の実施形態では、Ｘ＝１８であり、
前記ターゲットシーケンスセットの、区別された長さＸの各シーケンスは、
【数８】
2021502764.tif 000011
の数式に対応し、
前記複数のシーケンスグループの各シーケンスグループは、区別されたグループインデックスｕに関連付けられ、
区別された長さＸの各シーケンスは、下記の表
【表２】
2021502764.tif 000012
に示す、φ（ｎ）の値と前記グループインデックスとの間の関係に従って、１個のシーケンスグループに割り当てられる。
【００２２】
一部の実施形態では、前記複数のシーケンスグループのいずれかのシーケンスグループに含まれる長さ１８のシーケンスと、前記複数のシーケンスグループの別のいずれかのシーケンスグループに含まれる長さ２４のシーケンスとのシーケンス対のうち、２個のシーケンス対のみが、０．７を超える対応する相互相関値を有する。
【００２３】
一部の実施形態では、前記複数のシーケンスグループのいずれかのシーケンスグループに含まれる長さ１８のシーケンスと、前記複数のシーケンスグループの別のいずれかのシーケンスグループに含まれる長さ３６のシーケンスとのシーケンス対のうち、２個のシーケンス対のみが、０．７を超える対応する相互相関値を有する。
【００２４】
一部の実施形態では、前記複数のシーケンスグループのいずれかのシーケンスグループに含まれる長さ１８のシーケンスと、前記複数のシーケンスグループの別のいずれかのシーケンスグループに含まれる長さ６０のシーケンスとのシーケンス対のうち、３個のシーケンス対のみが、０．７を超える対応する相互相関値を有する。
【００２５】
一部の実施形態では、前記複数のシーケンスグループのいずれかのシーケンスグループに含まれる長さ１８のシーケンスと、前記複数のシーケンスグループの別のいずれかのシーケンスグループに含まれる長さ７２のシーケンスとのシーケンス対のうち、３個のシーケンス対のみが、０．７を超える対応する相互相関値を有する。
【００２６】
一部の実施形態では、Ｘ＝１２であり、
前記ターゲットシーケンスセットの、区別された長さＸの各シーケンスは、
【数９】
2021502764.tif 000013
の数式に対応し、
前記複数のシーケンスグループの各シーケンスグループは、区別されたグループインデックスｕに関連付けられ、
区別された長さＸの各シーケンスは、下記の表
【表３】
2021502764.tif 000014
に示す、φ（ｎ）の値と前記グループインデックスとの間の関係に従って、１個のシーケンスグループに割り当てられる。
【００２７】
一部の実施形態では、前記複数のシーケンスグループのいずれかのシーケンスグループに含まれる長さ１２のシーケンスと、前記複数のシーケンスグループの別のいずれかのシーケンスグループに含まれる長さ１８のシーケンスとのシーケンス対のうち、９個のシーケンス対のみが、０．８を超える対応する相互相関値を有する。
【００２８】
一部の実施形態では、前記複数のシーケンスグループのいずれかのシーケンスグループに含まれる長さ１２のシーケンスと、前記複数のシーケンスグループの別のいずれかのシーケンスグループに含まれる長さ２４のシーケンスとのシーケンス対のうち、３個のシーケンス対のみが、０．８を超える対応する相互相関値を有する。
【００２９】
一部の実施形態では、前記複数のシーケンスグループのいずれかのシーケンスグループに含まれる長さ１２のシーケンスと、前記複数のシーケンスグループの別のいずれかのシーケンスグループに含まれる長さ３６のシーケンスとのシーケンス対のうち、２個のシーケンス対のみが、０．８を超える対応する相互相関値を有する。
【００３０】
一部の実施形態では、前記複数のシーケンスグループのいずれかのシーケンスグループに含まれる長さ１２のシーケンスと、前記複数のシーケンスグループの別のいずれかのシーケンスグループに含まれる長さ４８のシーケンスとのシーケンス対のうち、１個のシーケンス対のみが、０．８を超える対応する相互相関値を有する。
【００３１】
一部の実施形態では、前記複数のシーケンスグループのいずれかのシーケンスグループに含まれる長さ１２のシーケンスと、前記複数のシーケンスグループの別のいずれかのシーケンスグループに含まれる長さ６０のシーケンスとのシーケンス対のうち、５個のシーケンス対のみが、０．８を超える対応する相互相関値を有する。
【００３２】
一部の実施形態では、前記複数のシーケンスグループのいずれかのシーケンスグループに含まれる長さ１２のシーケンスと、前記複数のシーケンスグループの別のいずれかのシーケンスグループに含まれる長さ７２のシーケンスとのシーケンス対のうち、５個のシーケンス対のみが、０．８を超える対応する相互相関値を有する。
【００３３】
さらに別の例示的態様では、上述の各方法がプロセッサ実行可能コードの形態で実施され、コンピュータ可読プログラム媒体に記憶される。
【００３４】
さらに別の例示的態様では、上述の各方法を実行するように構成されまたは動作可能であるデバイスが開示される。
【００３５】
上述の態様および他の態様と、それらの実装とは、図面、明細書および特許請求の範囲においてより詳細に説明される。
【図面の簡単な説明】
【００３６】
【図１】本開示技術の、一部の実施形態による、ＰＵＣＣＨおよび／または短ＰＵＣＣＨチャネルを用いる無線通信における基地局およびＵＥの例を示す。
【図２】本開示技術の、一部の実施形態による、新たなシーケンスを既存のシーケンスグループに割り当てる方法の例示的フローチャートを示す。
【図３Ａ】本開示技術の、一部の実施形態による、ゼロパディング適用の例を示す。
【図３Ｂ】本開示技術の、一部の実施形態による、ゼロパディング適用の例を示す。
【図４】本開示技術の、一部の実施形態による、シーケンスグループを利用するＵＥの例示的ブロック図を示す。
【図５】本開示技術の、一部の実施形態による、シーケンスグループを管理する基地局の例示的ブロック図を示す。
【発明を実施するための形態】
【００３７】
ＬＴＥ／ＬＴＥ−Ａの第４世代（４Ｇ）移動体通信技術および第５世代（５Ｇ）移動体通信技術では、より複雑かつ知的な範囲のアクセス要件および柔軟性が提供されているか開発中である。現在、拡張移動体ブロードバンド（ｅＭＢＢ）、超高信頼性低遅延通信（ＵＲＬＬＣ）、および多数機械タイプ接続（ｍＭＴＣ）が、４Ｇおよび５Ｇシステムの双方について研究中および／または開発中である。
【００３８】
新無線（ＮＲ）技術（目下５Ｇで標準化作業中）は、短ＰＵＣＣＨ送信の使用を提案している。より具体的には、本開示は、３ＧＰＰ標準規格組織における考慮のもとでの、短ＰＵＣＣＨの性能要件に適合する、直交する新たな短シーケンスのグループ化および使用に関する。
【００３９】
ＰＵＣＣＨまたは短ＰＵＣＣＨは、移動局またはユーザ機器（ＵＥ）から基地局に情報を送信するために用いられる無線チャネルである。たとえば、ＵＥは、ＰＵＣＣＨを使用して、肯定応答（ＡＣＫ）、否定応答（ＮＡＣＫ）、スケジュール要求（ＳＲ）、等の情報を送信することができる。基地局が送信したデータをＵＥが正しく復号したか否かを基地局に通知するために、ＵＥは基地局にＡＣＫ／ＮＡＣＫを送信することができる。スケジュール要求（ＳＲ）は、ＵＥによって、データを送信するためのアップリンク資源を要求するために用いられる。
【００４０】
ＮＲの標準規格化では、アップリンク制御情報（ＵＣＩ）を２ビットまで搬送するための短ＰＵＣＣＨのために、ピーク対平均電力費（ＰＡＰＲ）が低いシーケンスを採用することが合意された。これに比べ、ＬＴＥは、１個または２個の資源ブロック（ＲＢ）に対しては長さ１２または２４のコンピュータ生成定振幅ゼロ自己相関（ＣＧ−ＣＡＺＡＣ）シーケンスを採用し、３個以上のＲＢに対してはＺａｄ−ｏｆｆ  Ｃｈｕ（ＺＣ）シーケンスの巡回エクステンションを採用した。ＮＲシーケンス要件は、より厳格である（たとえば、より低い立方メートル／ピーク対平均電力比（ＣＭ／ＰＡＰＲ）を要求する）。現在ＬＴＥで用いられる長さ１２、長さ１８および長さ２４のシーケンスは、これらの新たな要件に適合しない可能性がある。したがって、ＣＭ／ＰＡＰＲが低い新たなシーケンスが提案された。３ＧＰＰ  ＲＡＮ１  ９０ｂｉｓ会合では、ＮＲについて、短ＰＵＣＣＨに対して、長さ１２のベースシーケンス３０個からなるセットが採用された。長さ１２のシーケンスのセットは、
【数１０】
2021502764.tif 000015
と表現される。ただしφ（ｎ）は次の表１にリストされる。
【表４】
2021502764.tif 000016
【００４１】
３ＧＰＰ  ＲＡＮ１  ９１会合では、３０個の長さ１８のものからなるセットと、長さ２４のベースシーケンス３０個からなるセットも、ＮＲのために採用された。長さ１８のシーケンスからなるセットは、
【数１１】
2021502764.tif 000017
と表現できる。ただしφ（ｎ）は次の表２にリストされる。
【表５】
2021502764.tif 000018
【００４２】
長さ２４のシーケンスからなるセットは、
【数１２】
2021502764.tif 000019
と表現できる。ただしφ（ｎ）は次の表３にリストされる。
【表６】
2021502764.tif 000020
【００４３】
ＬＴＥでは、無線通信における使用のために、アップリンクシーケンスが複数のシーケンスグループにグループ化される。たとえば、各シーケンスグループは、少なくとも２個の異なる長さのシーケンスを含むことができ、また、異なるセルによる使用のために異なるシーケンスグループを割り当てることができる。ＮＲでも同様のシーケンスグループ化および割り当てが採用可能である。上述のように、ＮＲでは新たな長さ２４、長さ１８および長さ１２のシーケンスが導入された。したがって、新たに導入されたＮＲシーケンスについてのシーケンスグループ化および割り当てが望ましい。本開示の技術は、ＮＲで採用される長さ２４、長さ１８および長さ１２のシーケンスおよび他のシーケンス（たとえば現在ＬＴＥで使用されている特定のシーケンス）のグループ化と、新たに構成されるシーケンスグループの無線通信での使用とを解決する。
【００４４】
図１は、ＰＵＣＣＨおよび／または短ＰＵＣＣＨチャネルを用いる無線通信における、例示的な基地局およびＵＥを示す。基地局（１２０）は、複数のＵＥ（１１０ａ〜１１０ｃ）に割り当てられるチャネル資源を送信することができる。ＵＥ（１１０ａ〜１１０ｃ）は、割り当てられたシーケンスを用いて、ＰＵＣＣＨおよび／または短ＰＵＣＣＨチャネル（１３０ａ〜１３０ｃ）を介して、基地局（１２０）に情報を送信することができる。本開示の技術は、基地局とＵＥとの間の無線通信における、シーケンスグループ化および使用の様々な実施形態を提供する。
【００４５】
［短シーケンスグループ化］
無線通信においてシーケンスが用いられる場合には、異なるセル間の信号インタフェースは、用いられるシーケンス間の相関に依存し得る。セル間干渉を最小化するために、異なるセルが用いるシーケンス間の相関を低くすることが望ましい。言い換えると、同じグループに含まれる異なる長さのシーケンス間の相互相関を高くすることが望ましい。したがって、一部の実施形態では、本開示の技術は、同じシーケンスグループに、（１）異なる長さを有し、（２）互いのまたは自身との相互相関が高い、シーケンスを割り当てることを含む。新たに導入されたＮＲシーケンスを既存のＬＴＥシーケンスグループに割り当てる際に、本開示の技術は、これらの新たに導入されるシーケンスと、既存のＬＴＥシーケンスとの間の相互相関を説明する。
【００４６】
図２は、本開示の技術の、一部の実施形態による、新たなシーケンス（たとえば新たに導入される長さ２４、長さ１８または長さ１２のＮＲシーケンス）を、既存のシーケンスグループ（たとえばＬＴＥで現在用いられるシーケンスグループ）に割り当てる方法の例示的フローチャートを示す。例示のため、新たに生成された、割り当てられるべきＮＲシーケンスをＳ１，ｉと表し、ｉはシーケンスインデックスを表して０，１，２，…，２９から選択され、Ｓ１，ｉの値は上記表１、表２または表３において示される。他の長さＹのシーケンス（たとえば現在ＬＴＥで用いられているもの）は、Ｓ２，ｕと表され、Ｙは３６，４８，６０または他の１２の倍数であり、Ｓ２，ｕの個別の値はＴＳ３６．２１１において示される。Ｓ２，ｕの各シーケンスは３０個のシーケンスグループに属し、ｕはシーケンスグループインデックスを表して０，１，２，…，２９から選択される。
【００４７】
ＮＲでは新たに導入される３つの新たなシーケンスセットが存在するので、一部の実施形態では、割り当てはＮＲシーケンスの３つの新たなセットすべてを含むことができる。たとえば、新たな長さ２４のＮＲシーケンスの割り当てを最初に行ってもよい。新たな長さ２４のシーケンスを割り当てる場合に、相互相関計算の基準として、長さ３６、４８、６０、または他の１２の倍数の、既存のＬＴＥシーケンスを用いることができる。新たな長さ２４のシーケンスに対するシーケンス割り当てが完了した後に、新たな長さ１８のシーケンスの割り当てを実行することができる。新たな長さ１８のシーケンスを割り当てる場合に、相互相関計算の基準として、（１）再グループ化後の新たな長さ２４のシーケンス（すなわち既存のシーケンスグループに割り当てられた新たな長さ２４のシーケンス）、および、（２）長さ３６、４８、６０、または他の１２の倍数の、既存のＬＴＥシーケンスの双方を用いることができる。新たな長さ１２のシーケンスの割り当てにも、同様の処理が適用可能である。例示として、長さ１２のシーケンスの割り当ての基準として、再グループ化後の新たな長さ１８のシーケンスおよび新たな長さ２４のシーケンスと、長さ３６、４８、６０、または他の１２の倍数の既存のＬＴＥシーケンスとを、用いることができる。
【００４８】
図２を参照して、ブロック２０２において、本方法は、新たな各シーケンスと、既存のシーケンスグループそれぞれに含まれるシーケンス（複数可）との間の相関を決定することを含む。例示的には、本方法は、３０個のＳ１，ｉシーケンスのそれぞれと、３０個のシーケンスグループそれぞれに含まれるＳ２，ｕシーケンスとの間の相互相関を計算することを含む。相互相関値は、相互相関行列ＸＣＯＲＲｉ，ｕ（各行が１個の新たなシーケンスＳ１，ｉに対応し、各列が、１個のシーケンスグループ（グループインデックスｕ）に含まれるシーケンスＳ２，ｕに対応する）において表すことができる。
【００４９】
様々な実施形態において、新たなＮＲシーケンスと、他の既存の長さＹのベースシーケンスとの間の相互相関が計算可能である。Ｙ≧３６についてＬＴＥで用いられる既存の長さＹのベースシーケンスは、
【数１３】
2021502764.tif 000021
として表すことができ、
ｑ番目のルートＺａｄｏｆｆ−Ｃｈｕシーケンスは、
【数１４】
2021502764.tif 000022
によって定義され、
ｑは、
【数１５】
2021502764.tif 000023
によって与えられ、
前記Ｚａｄｏｆｆ−Ｃｈｕシーケンスの長さＮＺＣＲＳは、ＭＳＣＲＢ＝Ｙである場合に、ＮＺＣＲＳ＜ＭｓｃＲＳとなる最大の素数によって与えられ、Ｙ≧６０の場合にはｖ＝０または１である。
【００５０】
２個のシーケンス間の相互相関は、次の方程式に基づいて計算することができる。
xcorr_coeffs = NFFT * IFFT(Seq1 .* conj(Seq2), NFFT) / length(Seq1)
(式１)
ただしＩＦＦＴ（Ｘ，Ｎ）はＮ点逆フーリエ変換演算であり、Ｓｅｑ１およびＳｅｑ２は２個のシーケンスを表し、ｃｏｎｊ（）は複素共役演算である。
【００５１】
Ｓｅｑ１およびＳｅｑ２の長さが等しくない場合には、可能なすべての周波数位置について、Seq1 .* conj(Seq2)を実行する際に、短い方のシーケンスにゼロパディングを適用してもよい。図３Ａおよび図３Ｂは、本開示の技術の一部の実施形態によるゼロパディングの適用例を２つ示す。Ｓｅｑ１は、相互相関計算について式１を用いる場合の、短い方のシーケンスである。
【００５２】
様々な実施形態において、シーケンスグループは異なる長さのシーケンスを含む。一部の実施形態では、新たなＮＲシーケンスと、他のすべての長さの既存のシーケンスとの間の相互相関が評価可能である。しかしながら、一部の実施形態では、異なる長さの既存のシーケンスの数が大きすぎる場合がある。たとえば、Ｙは１２Ｎに等しい場合があり、Ｎは３から１１０までの範囲である。計算資源が限られているので、新たなＮＲシーケンスと、既存のシーケンスすべてとの間の相互相関を計算するのは非実用的である。したがって、一部の実施形態では、新たなシーケンスをシーケンスグループに割り当てる際に、既存のシーケンスの長さの、選択されたサブセットのみを考慮する。たとえば、新たなＮＲシーケンスの割り当てのベースとして、長さ３６、長さ４８、長さ６０、および長さ７２の既存のシーケンスが選択される。
【００５３】
より具体的には、一部の実施形態では、新たな長さ２４のシーケンスを割り当てる際に、長さ３６、４８、６０および７２の既存のシーケンスが用いられる。これらのうち、新たな長さ２４のシーケンスと、既存の長さ３６のシーケンスとの間の相互相関が、シーケンス割り当て処理において第１の優先度を持つ。これは、少なくとも部分的に、ＬＴＥシーケンスグループを形成する際に、他の長さのシーケンスをグループ化するための基準シーケンスとして、長さ３６のシーケンスが用いられていたからである。
【００５４】
長さ１８のシーケンスを割り当てる際に、長さ３６、４８、６０、７２の既存のシーケンスと、新たな長さ２４のシーケンス（再グループ化後）とが用いられる。これらのうち、新たな長さ１８のシーケンスと、既存の長さ３６のシーケンスとの間の相互相関が、シーケンス割り当て処理において第１の優先度を持つ。長さ３６のシーケンスと比べると、新たな長さ１８のシーケンスと他の長さのシーケンスとの相互相関は優先度が低い。一部の実施形態では、最高の優先度に対応する長さ３６のシーケンスを除き、より短いシーケンスとの相互相関は、より長いシーケンスとのものより優先度が高い。たとえば、新たな長さ１８のシーケンスと、新たな長さ２４のシーケンス（再グループ化後）との間の相互相関は、新たな長さ１８のシーケンスと既存の長さ４８のシーケンスとの相互相関よりも優先度が高い。
【００５５】
同様に、長さ１２のシーケンスを割り当てる際に、長さ３６、４８、６０、７２の既存のシーケンスと、新たな長さ２４のシーケンス（再グループ化後）と、新たな長さ１８のシーケンス（再グループ化後）とが用いられる。これらのうち、既存の長さ３６のシーケンスとの間の相互相関が、シーケンス割り当て処理において第１の優先度を持つ。その後、新たな長さ１８のシーケンス（再グループ化後）から開始して、シーケンス割り当て処理において、シーケンスの長さが増加するにつれ、相互相関の優先度は低下する。すなわち、新たな長さ１８のシーケンス（再グループ化後）との相互相関は第２の優先度を持ち、新たな長さ２４のシーケンス（再グループ化後）との相互相関は第３の優先度を持ち、以下同様である。
【００５６】
図２を参照して、ブロック２０４において、本方法は、既存のシーケンスグループに、１つ以上の新たなシーケンスを、対応する相関に関する条件（複数可）に基づいて割り当てることを含む。例示として、特定の閾値を超える相互相関値または比較的大きい相互相関値は、既存のグループに新たなシーケンスを割り当てるためのベースとしての役割を果たす。一部の実施形態では、新たなＮＲシーケンスＳ１，ｉそれぞれについて、本方法は、相互相関行列ＸＣＯＲＲｉ，ｕの対応する行において、最大の相互相関値を識別することを含む。識別された最大相互相関値に対応するグループインデックスｕ＝ｕｍａｘ（ｉ）が選択され、インデックスｕｍａｘ（ｉ）の既存のシーケンスグループに新たなＮＲシーケンスＳ１，ｉが割り当てられる。
【００５７】
複数のＳ１，ｉについて同一のグループインデックスｕｍａｘ（ｉ）が選択される場合には、それらの対応する相互相関値ＸＣＯＲＲｉ，ｕｍａｘ（ｉ）が互いに比較される。最大のＸＣＯＲＲｉ，ｕｍａｘ（ｉ）値に対応する新たなＮＲシーケンスＳ１，ｉが、インデックスｕｍａｘ（ｉ）の既存のシーケンスグループに割り当てられ、残るＮＲシーケンスは未割り当てとしてラベル付けされる。
【００５８】
一部の実施形態では、相互相関値が高いか低いかを決定するための基準として、閾値を設定してもよい。シーケンス割り当てが異なる場合には、結果として閾値設定が異なり得る。新たな長さ２４、長さ１８、および長さ１２のＮＲシーケンスを割り当てる際に、閾値はそれぞれ０．６、０．７および０．８に設定することができる。
【００５９】
長さ２４のＮＲシーケンスの割り当てを例とすると、相互相関閾値は０．６に設定される。この場合には、新たな長さ２４のシーケンスと、既存の長さ３６、長さ４８、長さ６０、および長さ７２との相互相関が計算される。たとえば、相互相関は、長さ３６、長さ４８、長さ６０および長さ７２のシーケンスにそれぞれ対応する４個の相互相関行列において表すことができる。表４は、グループインデックスｕｍａｘ（ｉ，Ｌ）またはｕｍａｘ（ｉ，Ｌ，ｖ）を例示し、これについて、（１）新たな長さ２４のシーケンス（シーケンスインデックスｉ）と、（２）そのグループ内の既存の長さＬのシーケンスと、の相互相関は、０．６より高く、Ｌが６０以上の場合にはｖ＝０，１である。
【表７】
2021502764.tif 000024
【００６０】
表４の第２行に示すように、シーケンスインデックスｉ＝７の新たな長さ２４のシーケンスと、グループインデックスｕ＝１５の既存の長さ３６のシーケンスとの間の相互相関は、０．６より高い。シーケンスインデックスｉ＝２２の新たな長さ２４のシーケンスと、グループインデックスｕ＝１５の既存の長さ３６のシーケンスとの間の相互相関も同様である。一部の実施形態では、１個のシーケンスグループに１個の長さ２４のシーケンスのみが割り当て可能である。したがって、グループインデックスｕ＝１５のシーケンスグループに関して、相互相関値のさらなる比較が実行される。計算されるように、シーケンス対（シーケンスインデックスｉ＝７，グループインデックスｕ＝１５）について相互相関値は０．６７９であり、シーケンス対（シーケンスインデックスｉ＝２２，グループインデックスｕ＝１５）について相互相関値は０．６９５である。比較に基づき、大きい方の相互相関値である０．６９５が選択される。したがって、シーケンスインデックスｉ＝２２の長さ２４のシーケンスは、シーケンスグループｕ＝１５に割り当てられ、インデックスｉ＝７の長さ２４のシーケンスは未割り当てのままである。
【００６１】
表４の第３行に示すように、シーケンスインデックスｉ＝２２の新たな長さ２４のシーケンスと、グループインデックスｕ＝５（ｖ＝０）の既存の長さ６０のシーケンスとの間の相互相関は、０．６より高い。シーケンスインデックスｉ＝２２の新たな長さ２４のシーケンスは、長さ３６のシーケンスとの相互相関に従ってすでにグループｕ＝１５に割り当てられているので、この新たなシーケンスはシーケンスグループｕ＝５には割り当てられない。言い換えると、シーケンス割り当て処理において、長さ３６のシーケンスとの相互相関が最高の優先度を持つ。
【００６２】
表４の第４列に示すように、シーケンスインデックスｉ＝５の新たな長さ２４のシーケンスと、グループインデックスｕ＝１５（ｖ＝１）の既存の長さ６０のシーケンスとの間の相互相関は、０．６より高い。シーケンスインデックスｉ＝５の新たな長さ２４のシーケンスと、グループインデックスｕ＝２１（ｖ＝１）の既存の長さ７２のシーケンスとの間の相互相関も同様である。インデックスｉ＝２２の新たな長さ２４のシーケンスは、長さ２４のシーケンスおよび長さ３６のシーケンスとの相互相関に従ってすでにシーケンスグループｕ＝１５に割り当てられているので、このインデックスｉ＝５の新たな長さ２４のシーケンスはシーケンスグループｕ＝１５にはもはや割り当てられない。したがって、このインデックスｉ＝５の新たな長さ２４のシーケンスは、シーケンスグループｕ＝２１に割り当てられる。言い換えると、一部の実施形態では、（２４，３６）のシーケンス対の間の相互相関は、（２４，６０）または（２４，７２）より高い優先度を持つ。
【００６３】
表５は、上記の説明に基づく、新たな長さ２４のＮＲシーケンスの、既存のシーケンスグループへの部分的割り当てを示す。
【表８】
2021502764.tif 000025
【００６４】
図２を参照して、ブロック２０６において、本方法は、新たなシーケンスがすべて割り当てられたか否かを判定することを含む。そうである場合には、本方法はブロック２１０において終了する。そうでない場合には、本方法はブロック２０８に進む。ブロック２０８において、本方法は、未割り当ての新たなシーケンスそれぞれと、残る既存のシーケンスグループのそれぞれに含まれるシーケンス（複数可）との相関を決定することを含む。これはブロック２０２と同様の方法で行うことができ、複数の新たな相互相関行列（サイズはより小さい）を生成することができる。その後、本方法はブロック２０４に戻り、未割り当ての新たなシーケンス（複数可）を残る既存のシーケンスグループに割り当てることを継続する。
【００６５】
［シーケンスグループ化の例］
一部の実施形態による図２の方法を用いて、新たな長さ２４のＮＲシーケンスを、長さ３６、長さ４８、長さ６０および長さ７２のＬＴＥシーケンスとの相互相関に基づいて、既存のシーケンスグループに割り当てた最終結果を、次の表６に示す。
【表９】
2021502764.tif 000026
【００６６】
一部の実施形態による同じ方法を用いて、新たな長さ１８のＮＲシーケンスを、長さ３６、長さ４８、長さ６０および長さ７２のＬＴＥシーケンスと、長さ２４の新たなＮＲシーケンス（表６に従うグループ化後）との相互相関に基づいて、既存のシーケンスグループに割り当てた最終結果を、次の表８に示す。
【表１０】
2021502764.tif 000027
【００６７】
一部の実施形態による同じ方法を用いて、新たな長さ１２のＮＲシーケンスを、長さ３６、長さ４８、長さ６０および長さ７２のＬＴＥシーケンスと、長さ２４の新たなＮＲシーケンス（表６に従うグループ化後）と、長さ１８の新たなＮＲシーケンス（表７に従うグループ化後）との相互相関に基づいて、既存のシーケンスグループに割り当てた最終結果を、次の表８に示す。
【表１１】
2021502764.tif 000028
【００６８】
様々な通信ノード（たとえばＵＥまたは基地局）が、他の通信ノード（複数可）との通信のために、本明細書に開示される新たなＮＲシーケンスのグループ化を使用することができる。ＬＴＥでは、ＵＥが用いるシーケンスグループの数（複数通り可）は、グループホッピングパターンおよびシーケンスシフトパターン（基地局およびＵＥに既知）に基づいて決定される。グループホッピングパターンはセル固有であり、ＵＥはセルＩＤに基づいてグループホッピングパターンを取得することができる。ＮＲにおいて、シーケンスグループベースの通信についても、同じまたは同様の機構を実装することができる。
【００６９】
代替的に、または追加的に、シーケンスグループ数（複数通り可）は基地局がＵＥに提供することもできる。たとえば、ＲＲＣ（無線資源制御）を介した上位層シグナリング、ＤＣＩ（ダウンリンク制御情報）を介した物理層シグナリング、等によってである。シーケンスグループ数が決定されると、ＵＥはシーケンス長に基づいて適切なシーケンスを送信のためにシーケンスグループから選択することができる。本開示の技術に基づくシーケンスグループ化は、少なくとも、異なるセルについて用いられるシーケンス間の相互相関が比較的低いことから、異なるセル間の干渉を緩和することができる。
【００７０】
図４は、本開示の技術の、一部の実施形態による、シーケンスグループを利用するＵＥ４００の例示的ブロック図である。ＵＥ４００は、少なくとも１つのプロセッサ４１０と、命令が記憶されたメモリ４０５とを含む。命令は、プロセッサ４１０によって実行されると、様々なモジュールを用いていくつかの動作を実行するようＵＥ４００を構成する。
【００７１】
ＵＥ４００は、シーケンス決定モジュール４２５を含んでもよい。シーケンス決定モジュール４２５は、本開示の技術の様々な実施形態によって、ＵＥが用いるシーケンスグループ（複数可）を（たとえば、少なくとも１つのセル、ユーザまたは通信チャネルの識別に基づいて）決定できるか、これに基づいてデータ送信のためにシーケンスグループからシーケンス（複数可）を選択できるか、または、シーケンス決定に関連する他の機能を実行することができる。受信機４２０は、１つ以上のメッセージ（セルにシーケンスグループを提供またはアサインする情報を含む）を受信することができる。送信機４１５は、本開示の技術の様々な実施形態によって構成されるシーケンスグループ（複数可）から選択される１つ以上のシーケンスを用いてデータを送信（たとえば短ＰＵＣＣＨを介して基地局に）することができる。
【００７２】
図５は、本開示の技術の、一部の実施形態による、シーケンスグループを管理する基地局５００の例示的ブロック図を示す。基地局５００は、少なくとも１つのプロセッサ５１０と、命令が記憶されたメモリ５０５とを含む。命令は、プロセッサ５１０によって実行されると、様々なモジュールを用いていくつかの動作を実行するよう基地局５００を構成する。
【００７３】
基地局５００は、シーケンス管理モジュール５２５を含んでもよい。シーケンス管理モジュール５２５は、本開示の技術の様々な実施形態によって、シーケンスを割り当ててグループ化し、シーケンスグループをセルにアサインし、ＵＥ（複数可）が用いるシーケンスグループ（複数可）を決定し、または、シーケンスに関連する他の機能を実行することができる。受信機５２０は、本開示の技術の様々な実施形態によって構成されたシーケンスグループ（複数可）から選択されたシーケンス（複数可）を用いて送信されたデータを受信することができ、送信機５１５は、１つ以上のメッセージ（たとえばセルにシーケンスグループを提供またはアサインするためのもの）を１つ以上のＵＥに送信することができる。
【００７４】
用語「例示的」は、「一例」を意味するために用いられており、他に説明がない限り、理想的または好適な実施形態を示唆するものではない。
【００７５】
本明細書に記載する、一部の実施形態は、方法またはプロセスの概略的コンテキストにおいて説明され、一実施形態では、ネットワーク化された環境において、コンピュータによって実行されるコンピュータ可読命令（プログラムコード等）を含みコンピュータ可読媒体において実現されるコンピュータプログラム製品によって実装可能である。コンピュータ可読媒体は、リムーバブルおよび非リムーバブル記憶デバイスを含み、読み出し専用メモリ（ＲＯＭ）、ランダムアクセスメモリ（ＲＡＭ）、コンパクトディスク（ＣＤ）、デジタルバーサタイルディスク（ＤＶＤ）、等を含むがこれらに限定されない。したがって、コンピュータ可読媒体は、過渡的でない記憶媒体を含むことができる。概して、プログラムモジュールは、特定のタスクを実行するかまたは特定の抽象的データタイプを実装するルーチン、プログラム、オブジェクト、コンポーネント、データ構造、などを含んでもよい。コンピュータ実行可能命令またはプロセッサ実行可能命令と、関連するデータ構造と、プログラムモジュールとは、本明細書に開示される方法のステップを実行するためのプログラムコードの例を表す。そのような実行可能命令の特定のシーケンスまたは関連するデータ構造は、そのようなステップまたはプロセスにおいて説明される機能を実装するための対応するアクトの例を表す。
【００７６】
開示した実施形態の一部は、ハードウェア回路、ソフトウェア、またはそれらの組み合わせを用いるデバイスまたはモジュールとして実装可能である。たとえば、ハードウェア回路実装は、離散的アナログおよび／またはデジタル構成要素（たとえば印刷された回路基板の一部として統合される）を含んでもよい。代替的に、または付加的に、開示した構成要素またはモジュールは、特定用途向け集積回路（ＡＳＩＣ）として、および／または、フィールドプログラマブルゲートアレイ（ＦＰＧＡ）として、実装可能である。一部の実装は、付加的にまたは代替的に、デジタル信号プロセッサ（ＤＳＰ）（本用途の開示された機能に関連するデジタル信号処理の動作要求に対して最適化されたアーキテクチャを持つ専用化されたマイクロプロセッサ）を含んでもよい。同様に、各モジュールの様々な構成要素またはサブ構成要素は、ソフトウェア、ハードウェアまたはファームウェアで実装してもよい。各モジュールおよび／または各モジュール内の各構成要素の間の接続は、従来技術において既知の任意の接続方法および媒体（適切なプロトコルを用いた、インターネット、有線または無線ネットワーク上の通信）を用いて提供可能である。
【００７７】
本文献は多数の具体的記述を含むが、それらは特許が請求されまたは請求可能な発明の範囲についての限定として理解されるべきではなく、特定の実施形態に固有の特徴の説明として理解されるべきである。本文献において、区別された実施形態のコンテキストで説明された特定の特徴は、単一の実施形態における組み合わせとして実施することもできる。逆に、単一の実施形態のコンテキストで説明された様々な特徴は、複数の実施形態で分離して実装してもよく、または任意のサブコンビネーションで実装してもよい。さらに、上記では特徴が特定の組み合わせにおいて動作するよう説明され、初期にはそれ自体特許が請求されるが、特許請求の範囲内の組み合わせからの１つ以上の特徴は、一部のケースでは組み合わせから除外することができ、請求される組み合わせはサブコンビネーションまたはサブコンビネーションの変形に向けられ得る。同様に、図面では特定の順序で動作が記述されるが、これは、望ましい結果を達成するためにそのような動作が図示される特定の順序で、または逐次的に、実行される必要があると理解すべきではなく、例示されたすべての動作を実行する必要があると理解すべきでもない。
【００７８】
いくつかの実装および例のみが説明されたが、本開示において説明され例示されたものについて、他の実装、拡張および変形が可能である。
【図１】
2021502764.tif 000039
【図２】
2021502764.tif 000040
【図３Ａ】
2021502764.tif 000041
【図３Ｂ】
2021502764.tif 000042
【図４】
2021502764.tif 000043
【図５】
2021502764.tif 000044
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
無線通信方法であって、
前記方法は、複数のシーケンスグループから選択されるシーケンスグループ内の長さ２４のシーケンスに基づいて、無線通信ノードに情報を送信することを備え、
前記長さ２４のシーケンスは、
ｅｊπφ（ｎ）／４，ｎ＝０，１，２，…，２３
の数式に対応し、
前記シーケンスグループはグループインデックスｕに関連付けられ、
前記複数のシーケンスグループは、
φ（ｎ）＝［−１，−３，３，−１，３，１，３，−１，１，−３，−１，−３，−１，１，３，−３，−１，−３，３，３，３，−３，−３，−３］ただしｕ＝０、
φ（ｎ）＝［−１，−３，−３，１，−１，−１，−３，１，３，−１，−３，−１，−１，−３，１，１，３，１，−３，−１，−１，３，−３，−３］ただしｕ＝２、
φ（ｎ）＝［１，−３，３，−１，−３，−１，３，３，１，−１，１，１，３，−３，−１，−３，−３，−３，−１，３，−３，−１，−３，−３］ただしｕ＝３、
φ（ｎ）＝［−１，３，−３，−３，−１，３，−１，−１，１，３，１，３，−１，−１，−３，１，３，１，−１，−３，１，−１，−３，−３］ただしｕ＝４、
φ（ｎ）＝［−３，３，１，３，−１，１，−３，１，−３，１，−１，−３，−１，−３，−３，−３，−３，−１，−１，−１，１，１，−３，−３］ただしｕ＝６、
φ（ｎ）＝［−３，１，３，−１，１，−１，３，−３，３，−１，−３，−１，−３，３，−１，−１，−１，−３，−１，−１，−３，３，３，−３］ただしｕ＝７、
φ（ｎ）＝［−３，１，−３，３，−１，−１，−１，−３，３，１，−１，−３，−１，１，３，−１，１，−１，１，−３，−３，−３，−３，−３］ただしｕ＝８、
φ（ｎ）＝［１，１，−１，−３，−１，１，１，−３，１，−１，１，−３，３，−３，−３，３，−１，−３，１，３，−３，１，−３，−３］ただしｕ＝９、
φ（ｎ）＝［−３，−３，−３，−１，３，−３，３，１，３，１，−３，−１，−１，−３，１，１，３，１，−１，−３，３，１，３，−３］ただしｕ＝１０、
φ（ｎ）＝［−３，３，−１，３，１，−１，−１，−１，３，３，１，１，１，３，３，１，−３，−３，−１，１，−３，１，３，−３］ただしｕ＝１１、
φ（ｎ）＝［３，−３，３，−１，−３，１，３，１，−１，−１，−３，−１，３，−３，３，−１，−１，３，３，−３，−３，３，−３，−３］ただしｕ＝１２、
φ（ｎ）＝［−３，３，−１，３，−１，３，３，１，１，−３，１，３，−３，３，−３，−３，−１，１，３，−３，−１，−１，−３，−３］ただしｕ＝１３、
φ（ｎ）＝［−３，１，−３，−１，−１，３，１，３，−３，１，−１，３，３，−１，−３，３，−３，−１，−１，−３，−３，−３，３，−３］ただしｕ＝１４、
φ（ｎ）＝［−３，−１，−１，−３，１，−３，−３，−１，−１，３，−１，１，−１，３，１，−３，−１，３，１，１，−１，−１，−３，−３］ただしｕ＝１５、
φ（ｎ）＝［−３，−３，１，−１，３，３，−３，−１，１，−１，−１，１，１，−１，−１，３，−３，１，−３，１，−１，−１，−１，−３］ただしｕ＝１６、
φ（ｎ）＝［３，−１，３，−１，１，−３，１，１，−３，−３，３，−３，−１，−１，−１，−１，−１，−３，−３，−１，１，１，−３，−３］ただしｕ＝１７、
φ（ｎ）＝［−３，１，−３，１，−３，−３，１，−３，１，−３，−３，−３，−３，−３，１，−３，−３，１，１，−３，１，１，−３，−３］ただしｕ＝１８、
φ（ｎ）＝［−３，−３，３，３，１，−１，−１，−１，１，−３，−１，１，−１，３，−３，−１，−３，−１，−１，１，−３，３，−１，−３］ただしｕ＝１９、
φ（ｎ）＝［−３，−３，−１，−１，−１，−３，１，−１，−３，−１，３，−３，１，−３，３，−３，３，３，１，−１，−１，１，−３，−３］ただしｕ＝２０、
φ（ｎ）＝［３，−１，１，−１，３，−３，１，１，３，−１，−３，３，１，−３，３，−１，−１，−１，−１，１，−３，−３，−３，−３］ただしｕ＝２１、
φ（ｎ）＝［３−３，−３，−１，３，３，−３，−１，３，１，１，１，３，−１，３，−３，−１，３，−１，３，１，−１，−３，−３］ただしｕ＝２７、
φ（ｎ）＝［−３，１，−３，１，−３，１，１，３，１，−３，−３，−１，１，３，−１，−３，３，１，−１，−３，−３，−３，−３，−３］ただしｕ＝２８、または、
φ（ｎ）＝［３，−３，−１，１，３，−１，−１，−３，−１，３，−１，−３，−１，−３，３，−１，３，１，１，−３，３，−３，−３，−３］ただしｕ＝２９、
に対応する、方法。
【請求項２】
無線通信方法であって、
前記方法は、複数のシーケンスグループから選択されるシーケンスグループ内の長さ１８のシーケンスに基づいて、無線通信ノードに情報を送信することを備え、
前記長さ１８のシーケンスは、
ｅｊπφ（ｎ）／４，ｎ＝０，１，２，…，１７
の数式に対応し、
前記シーケンスグループはグループインデックスｕに関連付けられ、
前記複数のシーケンスグループは、
φ（ｎ）＝［−１，３，−１，−３，３，１，−３，−１，３，−３，−１，−１，１，１，１，−１，−１，−１］ただしｕ＝０、
φ（ｎ）＝［３，−３，３，−１，１，３，−３，−１，−３，−３，−１，−３，３，１，−１，３，−３，３］ただしｕ＝１、
φ（ｎ）＝［−３，−３，３，３，３，１，−３，１，３，３，１，−３，−３，３，−１，−３，−１，１］ただしｕ＝３、
φ（ｎ）＝［１，１，−１，−１，−３，−１，１，−３，−３，−３，１，−３，−１，−１，１，−１，３，１］ただしｕ＝４、
φ（ｎ）＝［−３，３，−１，１，３，１，−３，−１，１，１，−３，１，３，３，−１，−３，−３，−３］ただしｕ＝６、
φ（ｎ）＝［１，１，−３，３，３，１，３，−３，３，−１，１，１，−１，１，−３，−３，−１，３］ただしｕ＝７、
φ（ｎ）＝［３，−１，３，１，−３，−３，−１，１，−３，−３，３，３，３，１，３，３，３，−３］ただしｕ＝９、
φ（ｎ）＝［−３，−３，−３，１，−３，３，１，１，３，−３，−３，１，３，−１，３，−３，−３，３］ただしｕ＝１０、
φ（ｎ）＝［−３，−１，−３，−３，１，１，−１，−３，−１，−３，−１，−１，３，３，−１，３，１，３］ただしｕ＝１２、
φ（ｎ）＝［１，１，−３，−３，−３，−３，１，３，−３，３，３，１，−３，−１，３，−１，−３，１］ただしｕ＝１３、
φ（ｎ）＝［−３，３，−１，−３，−１，−３，１，１，−３，−３，−１，−１，３，−３，１，３，１，１］ただしｕ＝１４、
φ（ｎ）＝［−３，−１，−３，−１，−３，１，３，−３，−１，３，３，３，１，−１，−３，３，−１，−３］ただしｕ＝１６、
φ（ｎ）＝［−３，１，−３，−１，−１，３，１，−３，−３，−３，−１，−３，−３，１，１，１，−１，−１］ただしｕ＝１８、
φ（ｎ）＝［３，３，３，−３，−１，−３，−１，３，−１，１，−１，−３，１，−３，−３，−１，３，３］ただしｕ＝１９、
φ（ｎ）＝［−３，１，１，−３，１，１，３，−３，−１，−３，−１，３，−３，３，−１，−１，−１，−３］ただしｕ＝２０、
φ（ｎ）＝［３，−１，−３，１，−３，−３，−３，３，３，−１，１，−３，−１，３，１，１，３，３］ただしｕ＝２３、
φ（ｎ）＝［−３，−３，３，３，−３，１，３，−１，−３，１，−１，−３，３，−３，−１，−１，−１，３］ただしｕ＝２７、または、
φ（ｎ）＝［−３，３，１，−１，−１，−１，−１，１，−１，３，３，−３，−１，１，３，−１，３，−１］ただしｕ＝２９、
に対応する、方法。
【請求項３】
前記無線通信ノードは基地局である、請求項１または２に記載の方法。
【請求項４】
メモリおよびプロセッサを備える無線通信装置であって、前記プロセッサは前記メモリからコードを読み取って、複数のシーケンスグループから選択されるシーケンスグループ内の長さ２４のシーケンスに基づいて、無線通信ノードに情報を送信するよう構成され、
前記長さ２４のシーケンスは、
ｅｊπφ（ｎ）／４，ｎ＝０，１，２，…，２３
の数式に対応し、
前記シーケンスグループはグループインデックスｕに関連付けられ、
前記複数のシーケンスグループは、
φ（ｎ）＝［−１，−３，３，−１，３，１，３，−１，１，−３，−１，−３，−１，１，３，−３，−１，−３，３，３，３，−３，−３，−３］ただしｕ＝０、
φ（ｎ）＝［−１，−３，−３，１，−１，−１，−３，１，３，−１，−３，−１，−１，−３，１，１，３，１，−３，−１，−１，３，−３，−３］ただしｕ＝２、
φ（ｎ）＝［１，−３，３，−１，−３，−１，３，３，１，−１，１，１，３，−３，−１，−３，−３，−３，−１，３，−３，−１，−３，−３］ただしｕ＝３、
φ（ｎ）＝［−１，３，−３，−３，−１，３，−１，−１，１，３，１，３，−１，−１，−３，１，３，１，−１，−３，１，−１，−３，−３］ただしｕ＝４、
φ（ｎ）＝［−３，３，１，３，−１，１，−３，１，−３，１，−１，−３，−１，−３，−３，−３，−３，−１，−１，−１，１，１，−３，−３］ただしｕ＝６、
φ（ｎ）＝［−３，１，３，−１，１，−１，３，−３，３，−１，−３，−１，−３，３，−１，−１，−１，−３，−１，−１，−３，３，３，−３］ただしｕ＝７、
φ（ｎ）＝［−３，１，−３，３，−１，−１，−１，−３，３，１，−１，−３，−１，１，３，−１，１，−１，１，−３，−３，−３，−３，−３］ただしｕ＝８、
φ（ｎ）＝［１，１，−１，−３，−１，１，１，−３，１，−１，１，−３，３，−３，−３，３，−１，−３，１，３，−３，１，−３，−３］ただしｕ＝９、
φ（ｎ）＝［−３，−３，−３，−１，３，−３，３，１，３，１，−３，−１，−１，−３，１，１，３，１，−１，−３，３，１，３，−３］ただしｕ＝１０、
φ（ｎ）＝［−３，３，−１，３，１，−１，−１，−１，３，３，１，１，１，３，３，１，−３，−３，−１，１，−３，１，３，−３］ただしｕ＝１１、
φ（ｎ）＝［３，−３，３，−１，−３，１，３，１，−１，−１，−３，−１，３，−３，３，−１，−１，３，３，−３，−３，３，−３，−３］ただしｕ＝１２、
φ（ｎ）＝［−３，３，−１，３，−１，３，３，１，１，−３，１，３，−３，３，−３，−３，−１，１，３，−３，−１，−１，−３，−３］ただしｕ＝１３、
φ（ｎ）＝［−３，１，−３，−１，−１，３，１，３，−３，１，−１，３，３，−１，−３，３，−３，−１，−１，−３，−３，−３，３，−３］ただしｕ＝１４、
φ（ｎ）＝［−３，−１，−１，−３，１，−３，−３，−１，−１，３，−１，１，−１，３，１，−３，−１，３，１，１，−１，−１，−３，−３］ただしｕ＝１５、
φ（ｎ）＝［−３，−３，１，−１，３，３，−３，−１，１，−１，−１，１，１，−１，−１，３，−３，１，−３，１，−１，−１，−１，−３］ただしｕ＝１６、
φ（ｎ）＝［３，−１，３，−１，１，−３，１，１，−３，−３，３，−３，−１，−１，−１，−１，−１，−３，−３，−１，１，１，−３，−３］ただしｕ＝１７、
φ（ｎ）＝［−３，１，−３，１，−３，−３，１，−３，１，−３，−３，−３，−３，−３，１，−３，−３，１，１，−３，１，１，−３，−３］ただしｕ＝１８、
φ（ｎ）＝［−３，−３，３，３，１，−１，−１，−１，１，−３，−１，１，−１，３，−３，−１，−３，−１，−１，１，−３，３，−１，−３］ただしｕ＝１９、
φ（ｎ）＝［−３，−３，−１，−１，−１，−３，１，−１，−３，−１，３，−３，１，−３，３，−３，３，３，１，−１，−１，１，−３，−３］ただしｕ＝２０、
φ（ｎ）＝［３，−１，１，−１，３，−３，１，１，３，−１，−３，３，１，−３，３，−１，−１，−１，−１，１，−３，−３，−３，−３］ただしｕ＝２１、
φ（ｎ）＝［３−３，−３，−１，３，３，−３，−１，３，１，１，１，３，−１，３，−３，−１，３，−１，３，１，−１，−３，−３］ただしｕ＝２７、
φ（ｎ）＝［−３，１，−３，１，−３，１，１，３，１，−３，−３，−１，１，３，−１，−３，３，１，−１，−３，−３，−３，−３，−３］ただしｕ＝２８、または、
φ（ｎ）＝［３，−３，−１，１，３，−１，−１，−３，−１，３，−１，−３，−１，−３，３，−１，３，１，１，−３，３，−３，−３，−３］ただしｕ＝２９、
である、装置。
【請求項５】
メモリおよびプロセッサを備える無線通信装置であって、前記プロセッサは前記メモリからコードを読み取って、複数のシーケンスグループから選択されるシーケンスグループ内の長さ１８のシーケンスに基づいて、無線通信ノードに情報を送信するよう構成され、
前記長さ１８のシーケンスは、
ｅｊπφ（ｎ）／４，ｎ＝０，１，２，…，１７
の数式に対応し、
前記シーケンスグループはグループインデックスｕに関連付けられ、
前記複数のシーケンスグループは、
φ（ｎ）＝［−１，３，−１，−３，３，１，−３，−１，３，−３，−１，−１，１，１，１，−１，−１，−１］ただしｕ＝０、
φ（ｎ）＝［３，−３，３，−１，１，３，−３，−１，−３，−３，−１，−３，３，１，−１，３，−３，３］ただしｕ＝１、
φ（ｎ）＝［−３，−３，３，３，３，１，−３，１，３，３，１，−３，−３，３，−１，−３，−１，１］ただしｕ＝３、
φ（ｎ）＝［１，１，−１，−１，−３，−１，１，−３，−３，−３，１，−３，−１，−１，１，−１，３，１］ただしｕ＝４、
φ（ｎ）＝［−３，３，−１，１，３，１，−３，−１，１，１，−３，１，３，３，−１，−３，−３，−３］ただしｕ＝６、
φ（ｎ）＝［１，１，−３，３，３，１，３，−３，３，−１，１，１，−１，１，−３，−３，−１，３］ただしｕ＝７、
φ（ｎ）＝［３，−１，３，１，−３，−３，−１，１，−３，−３，３，３，３，１，３，３，３，−３］ただしｕ＝９、
φ（ｎ）＝［−３，−３，−３，１，−３，３，１，１，３，−３，−３，１，３，−１，３，−３，−３，３］ただしｕ＝１０、
φ（ｎ）＝［−３，−１，−３，−３，１，１，−１，−３，−１，−３，−１，−１，３，３，−１，３，１，３］ただしｕ＝１２、
φ（ｎ）＝［１，１，−３，−３，−３，−３，１，３，−３，３，３，１，−３，−１，３，−１，−３，１］ただしｕ＝１３、
φ（ｎ）＝［−３，３，−１，−３，−１，−３，１，１，−３，−３，−１，−１，３，−３，１，３，１，１］ただしｕ＝１４、
φ（ｎ）＝［−３，−１，−３，−１，−３，１，３，−３，−１，３，３，３，１，−１，−３，３，−１，−３］ただしｕ＝１６、
φ（ｎ）＝［−３，１，−３，−１，−１，３，１，−３，−３，−３，−１，−３，−３，１，１，１，−１，−１］ただしｕ＝１８、
φ（ｎ）＝［３，３，３，−３，−１，−３，−１，３，−１，１，−１，−３，１，−３，−３，−１，３，３］ただしｕ＝１９、
φ（ｎ）＝［−３，１，１，−３，１，１，３，−３，−１，−３，−１，３，−３，３，−１，−１，−１，−３］ただしｕ＝２０、
φ（ｎ）＝［３，−１，−３，１，−３，−３，−３，３，３，−１，１，−３，−１，３，１，１，３，３］ただしｕ＝２３、
φ（ｎ）＝［−３，−３，３，３，−３，１，３，−１，−３，１，−１，−３，３，−３，−１，−１，−１，３］ただしｕ＝２７、または、
φ（ｎ）＝［−３，３，１，−１，−１，−１，−１，１，−１，３，３，−３，−１，１，３，−１，３，−１］ただしｕ＝２９、
に対応する、装置。
【請求項６】
コードが記憶された過渡的でないコンピュータ可読プログラム記憶媒体であって、前記コードは、プロセッサによって実行されると、前記プロセッサに、複数のシーケンスグループから選択されるシーケンスグループ内の長さ２４のシーケンスに基づいて、無線通信ノードに情報を送信することを含む方法を実施させ、
前記長さ２４のシーケンスは、
ｅｊπφ（ｎ）／４，ｎ＝０，１，２，…，２３
の数式に対応し、
前記シーケンスグループはグループインデックスｕに関連付けられ、
前記複数のシーケンスグループは、
φ（ｎ）＝［−１，−３，３，−１，３，１，３，−１，１，−３，−１，−３，−１，１，３，−３，−１，−３，３，３，３，−３，−３，−３］ただしｕ＝０、
φ（ｎ）＝［−１，−３，−３，１，−１，−１，−３，１，３，−１，−３，−１，−１，−３，１，１，３，１，−３，−１，−１，３，−３，−３］ただしｕ＝２、
φ（ｎ）＝［１，−３，３，−１，−３，−１，３，３，１，−１，１，１，３，−３，−１，−３，−３，−３，−１，３，−３，−１，−３，−３］ただしｕ＝３、
φ（ｎ）＝［−１，３，−３，−３，−１，３，−１，−１，１，３，１，３，−１，−１，−３，１，３，１，−１，−３，１，−１，−３，−３］ただしｕ＝４、
φ（ｎ）＝［−３，３，１，３，−１，１，−３，１，−３，１，−１，−３，−１，−３，−３，−３，−３，−１，−１，−１，１，１，−３，−３］ただしｕ＝６、
φ（ｎ）＝［−３，１，３，−１，１，−１，３，−３，３，−１，−３，−１，−３，３，−１，−１，−１，−３，−１，−１，−３，３，３，−３］ただしｕ＝７、
φ（ｎ）＝［−３，１，−３，３，−１，−１，−１，−３，３，１，−１，−３，−１，１，３，−１，１，−１，１，−３，−３，−３，−３，−３］ただしｕ＝８、
φ（ｎ）＝［１，１，−１，−３，−１，１，１，−３，１，−１，１，−３，３，−３，−３，３，−１，−３，１，３，−３，１，−３，−３］ただしｕ＝９、
φ（ｎ）＝［−３，−３，−３，−１，３，−３，３，１，３，１，−３，−１，−１，−３，１，１，３，１，−１，−３，３，１，３，−３］ただしｕ＝１０、
φ（ｎ）＝［−３，３，−１，３，１，−１，−１，−１，３，３，１，１，１，３，３，１，−３，−３，−１，１，−３，１，３，−３］ただしｕ＝１１、
φ（ｎ）＝［３，−３，３，−１，−３，１，３，１，−１，−１，−３，−１，３，−３，３，−１，−１，３，３，−３，−３，３，−３，−３］ただしｕ＝１２、
φ（ｎ）＝［−３，３，−１，３，−１，３，３，１，１，−３，１，３，−３，３，−３，−３，−１，１，３，−３，−１，−１，−３，−３］ただしｕ＝１３、
φ（ｎ）＝［−３，１，−３，−１，−１，３，１，３，−３，１，−１，３，３，−１，−３，３，−３，−１，−１，−３，−３，−３，３，−３］ただしｕ＝１４、
φ（ｎ）＝［−３，−１，−１，−３，１，−３，−３，−１，−１，３，−１，１，−１，３，１，−３，−１，３，１，１，−１，−１，−３，−３］ただしｕ＝１５、
φ（ｎ）＝［−３，−３，１，−１，３，３，−３，−１，１，−１，−１，１，１，−１，−１，３，−３，１，−３，１，−１，−１，−１，−３］ただしｕ＝１６、
φ（ｎ）＝［３，−１，３，−１，１，−３，１，１，−３，−３，３，−３，−１，−１，−１，−１，−１，−３，−３，−１，１，１，−３，−３］ただしｕ＝１７、
φ（ｎ）＝［−３，１，−３，１，−３，−３，１，−３，１，−３，−３，−３，−３，−３，１，−３，−３，１，１，−３，１，１，−３，−３］ただしｕ＝１８、
φ（ｎ）＝［−３，−３，３，３，１，−１，−１，−１，１，−３，−１，１，−１，３，−３，−１，−３，−１，−１，１，−３，３，−１，−３］ただしｕ＝１９、
φ（ｎ）＝［−３，−３，−１，−１，−１，−３，１，−１，−３，−１，３，−３，１，−３，３，−３，３，３，１，−１，−１，１，−３，−３］ただしｕ＝２０、
φ（ｎ）＝［３，−１，１，−１，３，−３，１，１，３，−１，−３，３，１，−３，３，−１，−１，−１，−１，１，−３，−３，−３，−３］ただしｕ＝２１、
φ（ｎ）＝［３−３，−３，−１，３，３，−３，−１，３，１，１，１，３，−１，３，−３，−１，３，−１，３，１，−１，−３，−３］ただしｕ＝２７、
φ（ｎ）＝［−３，１，−３，１，−３，１，１，３，１，−３，−３，−１，１，３，−１，−３，３，１，−１，−３，−３，−３，−３，−３］ただしｕ＝２８、または、
φ（ｎ）＝［３，−３，−１，１，３，−１，−１，−３，−１，３，−１，−３，−１，−３，３，−１，３，１，１，−３，３，−３，−３，−３］ただしｕ＝２９、
に対応する、過渡的でないコンピュータ可読プログラム記憶媒体。
【請求項７】
コードが記憶された過渡的でないコンピュータ可読プログラム記憶媒体であって、前記コードは、プロセッサによって実行されると、前記プロセッサに、複数のシーケンスグループから選択されるシーケンスグループ内の長さ１８のシーケンスに基づいて、無線通信ノードに情報を送信することを含む方法を実施させ、
前記長さ１８のシーケンスは、
ｅｊπφ（ｎ）／４，ｎ＝０，１，２，…，１７
の数式に対応し、
前記シーケンスグループはグループインデックスｕに関連付けられ、
前記複数のシーケンスグループは、
φ（ｎ）＝［−１，３，−１，−３，３，１，−３，−１，３，−３，−１，−１，１，１，１，−１，−１，−１］ただしｕ＝０、
φ（ｎ）＝［３，−３，３，−１，１，３，−３，−１，−３，−３，−１，−３，３，１，−１，３，−３，３］ただしｕ＝１、
φ（ｎ）＝［−３，−３，３，３，３，１，−３，１，３，３，１，−３，−３，３，−１，−３，−１，１］ただしｕ＝３、
φ（ｎ）＝［１，１，−１，−１，−３，−１，１，−３，−３，−３，１，−３，−１，−１，１，−１，３，１］ただしｕ＝４、
φ（ｎ）＝［−３，３，−１，１，３，１，−３，−１，１，１，−３，１，３，３，−１，−３，−３，−３］ただしｕ＝６、
φ（ｎ）＝［１，１，−３，３，３，１，３，−３，３，−１，１，１，−１，１，−３，−３，−１，３］ただしｕ＝７、
φ（ｎ）＝［３，−１，３，１，−３，−３，−１，１，−３，−３，３，３，３，１，３，３，３，−３］ただしｕ＝９、
φ（ｎ）＝［−３，−３，−３，１，−３，３，１，１，３，−３，−３，１，３，−１，３，−３，−３，３］ただしｕ＝１０、
φ（ｎ）＝［−３，−１，−３，−３，１，１，−１，−３，−１，−３，−１，−１，３，３，−１，３，１，３］ただしｕ＝１２、
φ（ｎ）＝［１，１，−３，−３，−３，−３，１，３，−３，３，３，１，−３，−１，３，−１，−３，１］ただしｕ＝１３、
φ（ｎ）＝［−３，３，−１，−３，−１，−３，１，１，−３，−３，−１，−１，３，−３，１，３，１，１］ただしｕ＝１４、
φ（ｎ）＝［−３，−１，−３，−１，−３，１，３，−３，−１，３，３，３，１，−１，−３，３，−１，−３］ただしｕ＝１６、
φ（ｎ）＝［−３，１，−３，−１，−１，３，１，−３，−３，−３，−１，−３，−３，１，１，１，−１，−１］ただしｕ＝１８、
φ（ｎ）＝［３，３，３，−３，−１，−３，−１，３，−１，１，−１，−３，１，−３，−３，−１，３，３］ただしｕ＝１９、
φ（ｎ）＝［−３，１，１，−３，１，１，３，−３，−１，−３，−１，３，−３，３，−１，−１，−１，−３］ただしｕ＝２０、
φ（ｎ）＝［３，−１，−３，１，−３，−３，−３，３，３，−１，１，−３，−１，３，１，１，３，３］ただしｕ＝２３、
φ（ｎ）＝［−３，−３，３，３，−３，１，３，−１，−３，１，−１，−３，３，−３，−１，−１，−１，３］ただしｕ＝２７、または、
φ（ｎ）＝［−３，３，１，−１，−１，−１，−１，１，−１，３，３，−３，−１，１，３，−１，３，−１］ただしｕ＝２９、
に対応する、過渡的でないコンピュータ可読プログラム記憶媒体。
【請求項８】
前記無線通信ノードは基地局である、請求項６または７に記載の過渡的でないコンピュータ可読プログラム記憶媒体。
【国際調査報告】
2021502764.tif 000045
2021502764.tif 000046